(57)【要約】【課題】使用者による給湯器に対する個別の操作を必要とせずに、給湯器から洗濯機への温水の供給を簡便な操作により可能とする。【解決手段】洗濯機１は、洗濯機能部６と、運転制御プログラムに従って洗濯機能部の動作を制御する運転制御部１１と、給湯器３と通信するための通信制御部１４とを備え、給湯器は、設定された温度の温水を供給するための給湯部１５と、給湯動作を制御するための給湯制御部１７と、洗濯機との間で通信するための通信制御部１８とを備える。運転制御部は、洗濯機能部に対する動作制御の設定内容に給湯器からの温水の供給が含まれる場合、動作制御の設定内容に含まれる設定給湯温度を、給湯器から給湯すべき時点よりも所定時間前までに予め前記給湯器に送信する。給湯制御部は、受信した設定給湯温度に応じて、給湯部を制御して温水を供給するための給湯準備を実施し、給湯準備が完了した後に、洗濯機に対する給湯を実施する。【選択図】図１
2013132462.tif 000002
【特許請求の範囲】
【請求項１】
洗濯機での洗濯に用いる温水を給湯器から供給するように構成された洗濯機給湯システムであって、
前記洗濯機は、洗濯物の洗濯あるいは乾燥を行うための洗濯機能部と、運転制御プログラムに従って前記洗濯機能部の動作を制御する運転制御部と、前記給湯器と通信するための通信制御部とを備え、
前記給湯器は、設定された温度の温水を供給するための給湯部と、給湯動作を制御するための給湯制御部と、前記洗濯機の通信制御部との間で通信するための通信制御部とを備え、
前記運転制御部は、前記洗濯機能部に対する動作制御の設定内容に前記給湯器からの温水の供給が含まれる場合、前記動作制御の設定内容に含まれる設定給湯温度を、前記給湯器から給湯すべき時点よりも所定時間前までに予め前記給湯器に送信し、
前記給湯制御部は、受信した前記設定給湯温度に応じて、前記給湯部を制御して温水を供給するための給湯準備を実施し、前記給湯準備が完了した後に、前記洗濯機に対する給湯を実施することを特徴とする洗濯機給湯システム。
【請求項２】
前記給湯制御部は、前記給湯準備が完了した後に、前記洗濯機に給湯準備完了通知を送信して、その後、前記洗濯機に対する給湯を実施し、
前記運転制御部は、前記給湯器からの前記給湯準備完了通知を受信した後、前記給湯器からの給湯を受けるための受湯動作を開始する請求項１に記載の洗濯機給湯システム。
【請求項３】
前記運転制御部は、前記給湯準備完了通知を受信したとき、前記給湯器に対して給湯の開始を指示する給湯開始指示通知を送信して、その後、前記受湯動作を開始し、
前記給湯制御部は、前記給湯開始指示通知を送信した後、前記洗濯機に対する給湯を実施する請求項２に記載の洗濯機給湯システム。
【請求項４】
洗濯機での洗濯に用いる温水を給湯器から供給するように構成された洗濯機給湯システムであって、
前記洗濯機は、洗濯物の洗濯あるいは乾燥を行うための洗濯機能部と、前記洗濯機能部の動作を制御する運転制御部と、前記給湯器と通信するための通信制御部とを備え、
前記給湯器は、設定された温度の温水を供給するための給湯部と、給湯動作を制御するための給湯制御部と、前記洗濯機の通信制御部との間で通信するための通信制御部とを備え、
前記運転制御部は、運転予約状態に設定された場合であって、前記洗濯機能部に対する動作制御の設定内容に前記給湯器からの温水の供給が含まれる場合には、前記動作制御の設定内容に基づき、運転開始予定時刻、及び設定給湯温度を含む給湯予約情報を前記給湯器に送信し、
前記給湯制御部は前記給湯部を制御して、受信した前記給湯予約情報に応じて温水を供給するための給湯準備を実施し、前記給湯準備が完了した後に、前記洗濯機に対する給湯を実施することを特徴とする洗濯機給湯システム。
【請求項５】
前記給湯制御部は、前記給湯準備が完了した後に前記運転開始予定時刻に至ったとき、前記洗濯機に対する給湯を実施する請求項４に記載の洗濯機給湯システム。
【請求項６】
前記運転制御部は、前記運転開始予定時刻に至ったとき、前記給湯器に対して給湯の開始を指示する給湯開始指示通知を送信し、
前記給湯制御部は、前記給湯開始指示通知を受信した後、前記洗濯機に対する給湯を実施する請求項４に記載の洗濯機給湯システム。
【請求項７】
前記給湯器は、前記洗濯機から前記給湯予約情報を受信したとき、前記給湯予約情報により給湯予約を受け付けたことを示す給湯予約受理通知を前記洗濯機に対して送信する請求項４〜６のいずれか１項に記載の洗濯機給湯システム。
【請求項８】
前記運転制御部は、温水の給水が終了した時点で、前記給湯器に温水利用が終了したことを示す温水利用終了通知を送信し、
前記給湯器は、前記温水利用終了通知を受信したとき、前記洗濯機に対する給湯を終了するとともに、給湯温度の設定を前記給湯設定情報を受信する前の状態に戻す請求項１〜７のいずれか１項に記載の洗濯機給湯システム。
【請求項９】
前記洗濯機は、前記給湯器から供給された温水の給湯温度を検出する給湯温度センサーを備え、
前記運転制御部は、前記給湯温度センサーにより検出された給湯温度を前記給湯器に送信し、
前記給湯器の前記給湯制御部は、受信した前記給湯温度が、前記設定給湯温度になるように前記給湯部を制御する請求項１〜８のいずれか１項に記載の洗濯機給湯システム。
【発明の詳細な説明】
【技術分野】
【０００１】
本発明は、給湯器から洗濯機へ温水を供給して洗濯を行うための洗濯機給湯システムに関し、特に、洗濯機と給湯器を個別に操作することが不要なように改良された洗濯機給湯システムに関する。
【背景技術】
【０００２】
従来、衣類を傷めずに洗浄効果を高めるために、洗濯機内に温水を供給して洗濯を行うことが多く行われている。その場合、給湯器による温水を利用すれば、洗濯機に温水用のヒータ及び温度検知用のセンサ等を搭載して給湯する場合と比べて、洗濯機の複雑化を回避して、効率的に温水を利用することができる。
【０００３】
給湯器から温水を供給する構成の例が、特許文献１に開示されている。特許文献１の構成では、湯洗い開始に際して、洗濯機注湯装置に接続される注湯リモコンにより、給湯器から洗濯機への出湯流路を開閉する開閉弁を開くように操作される。その状態で洗濯機の水電磁弁が開弁すると、給湯器が通水されて燃焼動作を開始し、設定温度に加熱された湯が洗濯機に供給される。
【０００４】
ここで、給湯器の出湯温度は給湯器に接続される給湯リモコンで設定されるため、給湯リモコンで高温設定されていることを使用者が気付かずに、注湯リモコンにより湯洗い開始操作を行なうと、洗濯機には給湯リモコンで設定された高温の湯が供給されてしまう。
【０００５】
そのため、特許文献１に開示された装置では、洗濯機に供給される湯の温度を検出する温度検出手段と、温度検出手段による検出温度が所定値以上の場合に報知する報知手段が設けられる。あるいは、検出温度が所定値以上の場合に、洗濯機に供給される湯に水を混合して供給する水混合手段を設けた構成、あるいは洗濯機への湯の供給を中止する構成が採用される。これらの構成により、給湯器側で高温設定されていることを使用者が気付かずに操作した場合でも、不都合な事態が発生することを回避可能としている。
【先行技術文献】
【特許文献】
【０００６】
【特許文献１】特開平１０−２７７２９０号公報
【発明の概要】
【発明が解決しようとする課題】
【０００７】
上述のとおり、特許文献１に開示された装置では、洗濯機に対して高温の温水が供給された場合の対策は講じられているが、使用者は、洗濯機の操作とは別に、注湯リモコンにより給湯器からの出湯を操作する必要がある。さらに、給湯器の出湯温度を、給湯器に接続される給湯リモコンによって操作する必要もあり、操作が煩雑である。
【０００８】
また、洗濯機に供給された状態での温水の温度としては、必ずしも給湯器の出湯温度が維持されるとは限らない。すなわち給湯器から洗濯機に至る途中の配管での温度低下があるからである。配管での温度低下は、給湯器と洗濯機の設置状況や、環境温度等によって変化する。そのため、洗濯機に所望の温度を温水を供給するためには、配管での温度低下を考慮して給湯器の出湯温度を適切に設定する必要があり、操作は煩雑とならざるを得ない。
【０００９】
従って、本発明は、使用者による給湯器に対する個別の操作を必要とせずに、給湯器から洗濯機への温水の供給を簡便な操作により可能とした洗濯機給湯システムを提供することを目的とする。
【００１０】
また、本発明は、給湯器から洗濯機に至る途中の配管の状態による影響を排除して、洗濯機で設定された温度の温水を適切に供給することが可能な洗濯機給湯システムを提供することを目的とする。
【課題を解決するための手段】
【００１１】
上記課題を解決するために、本発明の第１構成の洗濯機給湯システムは、洗濯機での洗濯に用いる温水を給湯器から供給するように構成され、前記洗濯機は、洗濯物の洗濯あるいは乾燥を行うための洗濯機能部と、運転制御プログラムに従って前記洗濯機能部の動作を制御する運転制御部と、前記給湯器と通信するための通信制御部とを備え、前記給湯器は、設定された温度の温水を供給するための給湯部と、給湯動作を制御するための給湯制御部と、前記洗濯機の通信制御部との間で通信するための通信制御部とを備え、前記運転制御部は、前記洗濯機能部に対する動作制御の設定内容に前記給湯器からの温水の供給が含まれる場合、前記動作制御の設定内容に含まれる設定給湯温度を、前記給湯器から給湯すべき時点よりも所定時間前までに予め前記給湯器に送信し、前記給湯制御部は、受信した前記設定給湯温度に応じて、前記給湯部を制御して温水を供給するための給湯準備を実施し、前記給湯準備が完了した後に、前記洗濯機に対する給湯を実施することを特徴とする。
【００１２】
本発明の第２構成の洗濯機給湯システムは、洗濯機での洗濯に用いる温水を給湯器から供給するように構成され、前記洗濯機は、洗濯物の洗濯あるいは乾燥を行うための洗濯機能部と、前記洗濯機能部の動作を制御する運転制御部と、前記給湯器と通信するための通信制御部とを備え、前記給湯器は、設定された温度の温水を供給するための給湯部と、給湯動作を制御するための給湯制御部と、前記洗濯機の通信制御部との間で通信するための通信制御部とを備え、前記運転制御部は、運転予約状態に設定された場合であって、前記洗濯機能部に対する動作制御の設定内容に前記給湯器からの温水の供給が含まれる場合には、前記動作制御の設定内容に基づき、運転開始予定時刻、及び設定給湯温度を含む給湯予約情報を前記給湯器に送信し、前記給湯制御部は前記給湯部を制御して、受信した前記給湯予約情報に応じて温水を供給するための給湯準備を実施し、前記給湯準備が完了した後に、前記洗濯機に対する給湯を実施することを特徴とする。
【発明の効果】
【００１３】
上記構成の洗濯機給湯システムによれば、使用者が設定した設定給湯温度が洗濯機から給湯器に送信され、自動的に温水が供給されるため、給湯器に対する別箇の操作を必要とせずに、使用者は簡便に温水による洗濯を行うことができる。また給湯器による温水を利用できるので、洗濯機に温水用の追加デバイスを必要とせず、給湯専門の給湯器（例えばＨＰ給湯器など）を利用することで消費電力を低減することが可能である。
【図面の簡単な説明】
【００１４】
【図１】実施の形態１における洗濯機給湯システムの構成を示すブロック図
【図２】同洗濯機給湯システムの動作を示すフローチャート
【図３】同洗濯機給湯システムの動作シーケンスを示す図
【図４】実施の形態２における洗濯機給湯システムの動作を示すフローチャート
【図５】同洗濯機給湯システムの動作シーケンスを示す図
【図６】実施の形態３における洗濯機給湯システムの動作を示すフローチャート
【発明を実施するための形態】
【００１５】
本発明の洗濯機給湯システムは、上記構成を基本として、以下のような態様をとることができる。
【００１６】
すなわち、第１構成の洗濯機給湯システムにおいて、前記給湯制御部は、前記給湯準備が完了した後に、前記洗濯機に給湯準備完了通知を送信して、その後、前記洗濯機に対する給湯を実施し、前記運転制御部は、前記給湯器からの前記給湯準備完了通知を受信した後、前記給湯器からの給湯を受けるための受湯動作を開始する構成とすることができる。
【００１７】
また、前記運転制御部は、前記給湯準備完了通知を受信したとき、前記給湯器に対して給湯の開始を指示する給湯開始指示通知を送信して、その後、前記受湯動作を開始し、前記給湯制御部は、前記給湯開始指示通知を送信した後、前記洗濯機に対する給湯を実施する構成とすることができる。
【００１８】
また、第２構成の洗濯機給湯システムにおいて、前記給湯制御部は、前記給湯準備が完了した後に前記運転開始予定時刻に至ったとき、前記洗濯機に対する給湯を実施する構成とすることができる。
【００１９】
また、前記運転制御部は、前記運転開始予定時刻に至ったとき、前記給湯器に対して給湯の開始を指示する給湯開始指示通知を送信し、前記給湯制御部は、前記給湯開始指示通知を受信した後、前記洗濯機に対する給湯を実施する構成とすることができる。
【００２０】
また、前記給湯器は、前記洗濯機から前記給湯予約情報を受信したとき、前記給湯予約情報により給湯予約を受け付けたことを示す給湯予約受理通知を前記洗濯機に対して送信する構成とすることができる。
【００２１】
また、上記いずれかの構成の洗濯機給湯システムにおいて、前記運転制御部は、温水の給水が終了した時点で、前記給湯器に温水利用が終了したことを示す温水利用終了通知を送信し、前記給湯器は、前記温水利用終了通知を受信したとき、前記洗濯機に対する給湯を終了するとともに、給湯温度の設定を前記給湯設定情報を受信する前の状態に戻す構成とすることが好ましい。
【００２２】
また、上記いずれかの構成の洗濯機給湯システムにおいて、前記洗濯機は、前記給湯器から供給された温水の給湯温度を検出する給湯温度センサーを備え、前記運転制御部は、前記給湯温度センサーにより検出された給湯温度を前記給湯器に送信し、前記給湯器の前記給湯制御部は、受信した前記給湯温度が、前記設定給湯温度になるように前記給湯部を制御する構成とすることができる。
【００２３】
以下、本発明の実施の形態について、図面を参照しながら説明する。
【００２４】
＜実施の形態１＞
実施の形態１における洗濯機給湯システムについて、図１を参照して説明する。図１は、洗濯機給湯システムの全体構成を示すブロック図である。この洗濯機給湯システムは、洗濯機１を、家庭内ネットワーク２を介して給湯器３及びネットワーク端末４と連携させることにより構成されている。家庭内ネットワーク２は通信ネットワークの一例として用いられ、家庭内サーバ５により構築されている。
【００２５】
洗濯機１は、一般的な洗濯機能部６として、ドラム用モータ７、給水弁８、給湯弁９、排水弁１０等（他の要素は図示を省略）を有する。洗濯機能部６は運転制御部１１により動作が制御される。運転制御部１１は、運転制御プログラムに従って洗濯物の洗濯あるいは乾燥を行うように洗濯機能部６を制御する。洗濯機１はさらに、検出部１２、操作パネル１３、及び通信制御部１４を有する。
【００２６】
検出部１２は水位センサや回転センサなどの各種センサを含み、運転制御部１１は、検出部１２からの出力信号に基づき洗濯機能部６の動作状況を検出することができる。操作パネル１３は、使用者が、洗濯および乾燥条件、タイマ制御条件等の設定を入力し、また、設定された条件、洗濯機の状態等の各種の表示を行うための機能を提供する。通信制御部１４は、家庭内ネットワーク２を介して通信するための機能を提供する。
【００２７】
給湯器３は、設定された温度の温水を供給するための給湯部１５を有し、給湯パイプ１６を介して、洗濯機１の給湯弁９に接続されている。給湯器３はさらに、給湯動作を制御するための給湯制御部１７と、洗濯機１の通信制御部１４との間で通信するための通信制御部１８とを有する。洗濯機１の検出部１２には、給湯器３から供給された温水の温度を検出する給湯温度センサーが含まれる。
【００２８】
家庭内ネットワーク２には、洗濯機１以外の家電機器が接続されてもよいが、ここでは図示の簡略化のため、洗濯機１及び給湯器３のみを示す。家庭内サーバ５は、家庭内ネットワーク２を構築するための家庭内通信インターフェース１９、及び操作パネル２０を備え、それらの動作は制御部２１により制御される。家庭内サーバ５は、パーソナルコンピュータ（ＰＣ）により構成され、操作パネル２０には、表示のための液晶画面を備えた表示パネル、及び入力操作部が含まれる。操作パネル２０により、家庭内サーバ５の動作を設定したり、家庭内ネットワーク２に接続された家電機器の動作を設定するための操作を行うことができる。
【００２９】
家庭内ネットワーク２としては、例えば、Ｗｉ−Ｆｉなどの家庭内無線ＬＡＮを用いることができる。あるいは、家庭内ネットワーク２として、赤外線無線通信システムや有線通信システムを用いても良い。ネットワーク端末４としては、パーソナルコンピュータ（ＰＣ）、携帯情報端末（ＰＤＡ）等を用いることができる。あるいは、家庭内ネットワーク２に代えて、洗濯機１と給湯器３の間で通信を行うためだけの機能を提供する相互通信手段を用いて洗濯機給湯システムを構成してもよい。
【００３０】
家庭内サーバ５は、操作パネル２０により、洗濯機１の運転制御の設定、モニタを行う機能を有するとともに、家庭内ネットワーク２を介して、ネットワーク端末４との情報の授受を行うことができる。それにより、ネットワーク端末４に対して、洗濯機１の運転制御の設定、モニタを可能とする機能を持たせることができる。
【００３１】
但し、運転制御の設定、モニタを行う機能は、洗濯機１のみに設け、家庭内サーバ５は、単に、洗濯機１とネットワーク端末４間の通信を可能とする機能だけを提供するように構成されてもよい。その場合、運転制御部１１は、通信制御部１４による通信を介して、ネットワーク端末４からの指示に応じた運転動作の制御を行うことが可能なように構成される。
【００３２】
以上のように、使用者が、洗濯および乾燥条件、タイマ制御条件等の設定を入力するための設定操作部としての機能は、直接的には洗濯機１の操作パネル１３により提供されるが、ネットワーク端末４、あるいは家庭内サーバ５の操作パネル２０を設定操作部として機能させることもできる。
【００３３】
次に、上記構成の洗濯機給湯システムにおける給湯動作について説明する。本実施の形態は、運転制御部１１による洗濯機能部６に対する動作制御について、使用者が設定した内容に、給湯器３からの温水の供給が含まれる場合の給湯動作に特徴を有する。図２は、そのような給湯動作を示すフローチャートである。図３は、この洗濯機給湯システムの動作シーケンスを示す図であり、図２の給湯動作に示されるステップと同一の動作については、同一のステップ番号（Ｓ番号）を付して説明する。
【００３４】
まず、洗濯機１の操作パネル１３、あるいはネットワーク端末４等からの操作が行われた結果、図２のステップＳ１において、洗濯機能部６に対する動作制御の設定が行われ、この動作制御の設定内容に給湯器３からの温水の供給が含まれるものとする。これにより、運転制御部１１は、動作制御の内容に含まれる設定給湯温度を、予め給湯器３に送信する（ステップＳ２）。この送信は、給湯器３から給湯すべき時点よりも所定時間前までに行われる。
【００３５】
給湯制御部１７は、受信した設定給湯温度に応じて、給湯部１５を制御して温水を供給するための給湯準備を実施し（ステップＳ３）、給湯準備が完了した後に（ステップＳ４、Ｙｅｓ）、洗濯機１に対する給湯を実施する。このようにして、使用者が洗濯機１に対する操作を行うだけで給湯器３に対する動作の設定が行われるので、給湯器３に対する別箇の操作を必要とせず、簡便な操作により洗濯機１への温水の供給が可能となる。
【００３６】
給湯器３からの給湯の実施に関わる動作は、例えば以下のように行われる。まず、給湯制御部１７は、給湯準備が完了した後に（ステップＳ４、Ｙｅｓ）、洗濯機１に給湯準備完了通知を送信（ステップＳ５）する。洗濯機１の運転制御部１１は、給湯器３からの給湯準備完了通知を受信したとき、給湯器３に対して給湯の開始を指示する給湯開始指示通知を送信する（ステップＳ６）。給湯制御部１７は、洗濯機１からの給湯開始指示通知を受信した後、洗濯機１に対する給湯を実施し、洗濯機１は、給湯開始指示通知を送信した後、給湯器３からの給湯を受けるための受湯動作を実施する（ステップＳ７）。
【００３７】
なお、この給湯の実施に関わる動作中、給湯開始指示通知を送信するステップＳ６は、必ずしも設ける必要はない。例えば、給湯制御部１７は、洗濯機１に給湯準備完了通知を送信（ステップＳ５）した後、（一定の時間を経過したときに）、洗濯機１からの通信を待つことなく、給湯を実施する（ステップＳ７）構成とすることもできる。この場合、運転制御部１１は、給湯器３からの給湯準備完了通知を受信した後、（一定の時間を経過したときに）給湯器３からの給湯を受けるための受湯動作を開始する（ステップＳ７）構成とする。
【００３８】
次に、洗濯機１が受湯動作を実施し、給湯器３が給湯を実施（ステップＳ７）した後の動作について説明する。運転制御部１は、洗濯槽に対する給水（湯）量を検出するための検出部１２のセンサーの出力信号により、給湯器３から給湯が所定の量に達したか否か、すなわち受湯が完了したか否かを判定する（ステップＳ８）。受湯が完了した時点（ステップＳ８、Ｙｅｓ）で、温水利用が終了したことを示す温水利用終了通知を、給湯器３に送信する（ステップＳ９）。この時点から洗濯機１は、図３に示すようにその後の洗濯のための動作を行う。一方、給湯器３は、温水利用終了通知を受信したとき、給湯動作を終了し（ステップＳ１０）、給湯温度の設定を給湯設定情報を受信する前の状態に戻す（ステップＳ１１）。
【００３９】
なお、給湯器３の構成については、瞬間的に温水にするものであっても、タンク等に貯水した水を温めて温水とするもの、さらには温水をタンク等で保温して給湯するものであってもよい。
【００４０】
＜実施の形態２＞
実施の形態２における洗濯機給湯システムについて、図４、図５を参照して説明する。洗濯機給湯システムの全体構成は、図１にブロック図で示した実施の形態１における洗濯機給湯システムと同様である。
【００４１】
本実施の形態は、運転制御部１１による洗濯機能部６に対する動作制御について、使用者が設定した内容に、給湯器３からの温水の供給が含まれ、しかも、設定時間の経過後に洗濯機能部６を動作制御するための運転予約が行われた場合の給湯動作に特徴を有する。図４は、そのような給湯動作を示すフローチャートである。図５は、この洗濯機給湯システムの動作シーケンスを示す図であり、図４の給湯動作に示されるステップと同一の動作については、同一のステップ番号（Ｓ番号）を付して説明する。
【００４２】
本実施の形態の洗濯機給湯システムの動作の後半部は、図２に示した実施の形態１のステップＳ７〜ステップＳ１１、すなわち、洗濯機１が受湯を実施し、給湯制御部１７が給湯を実施する動作以降と同様である。従って、ステップＳ７〜ステップＳ１１を一つのグループとして一括して示し、説明を省略する。
【００４３】
まず、図４のステップＳ２１において、操作パネル１３、ネットワーク端末４等からの操作で、運転制御部１１に対して、洗濯機能部６を設定時間の経過後に動作制御するための運転予約が行われ、この動作制御の設定内容に給湯器３からの温水の供給が含まれるものとする。これにより、運転制御部１１は、運転予約された動作制御の設定内容に基づき、運転開始予定時刻、及び設定給湯温度を含む給湯予約情報を給湯器３に送信する（ステップＳ２２）。
【００４４】
給湯制御部１７は、洗濯機１から給湯予約情報を受信したとき、給湯予約情報により給湯予約を受け付けたことを示す給湯予約受理通知を洗濯機１に対して送信する（ステップＳ２３）。但し、給湯予約受理通知を送信することは必須ではない。その後、給湯制御部１７は、受信した給湯予約情報に応じて、給湯部１５を制御して温水を供給するための給湯準備を実施する。給湯器３における給湯準備に関わる動作は、一例として、以下のように行われる。
【００４５】
すなわち、給湯器３から洗濯機１に、給湯予約受理通知が送信（ステップＳ２３）（動作設定に応じて）されたとき、洗濯機１は予約待機状態になり（ステップＳ２４）、運転開始予定時刻まで待機する（ステップＳ２８）。給湯予約受理通知が送信されない場合は、洗濯機１は、給湯予約情報を給湯器３に送信した後、予約待機状態になる（ステップＳ２４）。
【００４６】
一方、ステップＳ２３の後、給湯器３は給湯準備開始時刻を待機する状態になる（ステップＳ２５）。給湯準備開始時刻は、運転開始予定時刻に基づいて給湯器３で設定する構成とするか、または、給湯予約情報に含まれる構成としてもよい。給湯準備開始時刻になったとき（ステップＳ２５、Ｙｅｓ）、給湯制御部１７は給湯部１５を制御して、受信した給湯予約情報に応じて温水を供給するための給湯準備を実施する（ステップＳ２６）。給湯準備が完了した後に（ステップＳ２７、Ｙｅｓ）、洗濯機１に対する給湯を実施可能なモードで、運転開始予定時刻を待つ状態になる（ステップＳ２８）。
【００４７】
運転開始予定時刻に至ったとき（ステップＳ２８、Ｙｅｓ）、洗濯機１の運転制御部１１は、給湯器３に対して給湯の開始を指示する給湯開始指示通知を送信する（ステップＳ６）。その後、洗濯機１は給湯器３からの給湯を受けるための受湯動作を実施し（ステップＳ７）、また、給湯制御部１７は、洗濯機１からの給湯開始指示通知を受信した後、洗濯機１に対する給湯を実施する（ステップＳ７）。さらに、洗濯機１及び給湯器３は、実施の形態１の場合と同様にステップＳ８〜ステップＳ１１の動作を行う。
【００４８】
但し、この給湯の実施に関わる動作中、給湯開始指示通知を送信するステップＳ６は、必ずしも設ける必要はない。例えば、給湯制御部１７は、給湯準備が完了した後（ステップＳ２７、Ｙｅｓ）に運転開始予定時刻に至ったとき（ステップＳ２８、Ｙｅｓ）、洗濯機１からの通信を待つことなく、洗濯機１に対する給湯を実施する構成とすることができる。
【００４９】
このようにして、使用者が洗濯機１に対する操作を行うだけで給湯器３に対する動作の設定が行われるので、給湯器３に対する別箇の操作を必要とせず、簡便な操作により洗濯機１への温水の供給が可能となる。
【００５０】
＜実施の形態３＞
実施の形態３における洗濯機給湯システムについて、図６を参照して説明する。洗濯機給湯システムの全体構成は、図１にブロック図で示した実施の形態１における洗濯機給湯システムと同様である。但し、洗濯機１は、検出部１２の各種センサーの一つとして、給湯器３から供給された温水の温度を検出する給湯温度センサーを備え、運転制御部１１は、給湯温度センサーにより検出された給湯温度を給湯器３に送信する構成を含む。
【００５１】
図６は、使用者が設定した運転制御部１１による洗濯機能部６に対する動作制御の設定内容に、給湯器３からの温水の供給が含まれる場合の給湯動作を示すフローチャートである。
【００５２】
本実施の形態の洗濯機給湯システムの動作は、図２に示した実施の形態１の動作中、ステップＳ７とステップＳ８の間に、新たなステップＳ１２〜Ｓ１５が挿入されたことを特徴とする。従ってステップＳ１〜ステップＳ６、及びステップＳ９〜ステップＳ１１については、各々一つのグループとして一括して示し、説明を省略する。
【００５３】
ステップＳ７において、洗濯機１が給湯器３からの給湯を受けるための受湯動作を開始し、また、給湯器３が洗濯機１に対する給湯動作を開始した後、洗濯機１では、給湯器３から供給された温水の給湯温度を検出する（ステップＳ１２）。次に、運転制御部１１は、検出された給湯温度を給湯器３に送信する（ステップＳ１３）する。
【００５４】
給湯器３の給湯制御部１７は、給湯温度が設定給湯温度になるように給湯部１５を制御する。すなわち、給湯制御部１７は、洗濯機１で検出され送信された給湯温度を、設定給湯温度と比較する（ステップＳ１４）。比較によって検出された温度差に応じて（ステップＳ１４、Ｎｏ）、給湯制御部１７により、温度差を低減させるように給湯部１５の制御が行われる（ステップＳ１５）。次に、受湯が完了したか否かを判定するステップＳ１６に進む。このステップの実質的な内容は、実施の形態１におけるステップＳ８と同様である。温度差が所定の範囲内であれば（ステップＳ１４、Ｙｅｓ）、ステップＳ１５はバイパスされて、ステップＳ１６に進む。
【００５５】
以上のステップＳ１２〜Ｓ１６の動作は、受湯が完了（ステップＳ１６、Ｙｅｓ）するまで繰り返され、その後、実施の形態１と同様に、ステップＳ９〜ステップＳ１１が実行される。
【００５６】
このように、洗濯機１で検出された給湯温度の値に基づいて、給湯器３の給湯部１５の動作が制御される。これにより、給湯器３から洗濯機１に至る途中の給湯パイプ１６の状態による影響を排除して、洗濯機１で設定された給湯温度の温水を、給湯器３から適切に供給することが可能となる。これは、特に気温の低い冬期の放熱作用により、給湯器３から所定の設定給湯温度の温水を供給しても、洗濯機１に至るまでの降温してしまうような状況において、洗濯機１で使用するのに適切な温度の温水を供給するために有効である。
【産業上の利用可能性】
【００５７】
本発明によれば、給湯器から洗濯機への温水の供給が簡便な操作により可能となり、給湯器から洗濯機へ温水を供給して洗濯を行うための洗濯機給湯システムに有効である。
【符号の説明】
【００５８】
１  洗濯機
２  家庭内ネットワーク
３  給湯器
４  ネットワーク端末
５  家庭内サーバ
６  洗濯機能部
７  ドラム用モータ
８  給水弁
９  給湯弁
１０  排水弁
１１  運転制御部
１２  検出部
１３、２０  操作パネル
１４、１８  通信制御部
１５  給湯部
１６  給湯パイプ
１７  給湯制御部
１９  家庭内通信インターフェース
２１  制御部
【図１】
2013132462.tif 000003
【図２】
2013132462.tif 000004
【図３】
2013132462.tif 000005
【図４】
2013132462.tif 000006
【図５】
2013132462.tif 000007
【図６】
2013132462.tif 000008